(57)【特許請求の範囲】
【請求項１】
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
当該ダクトの内外を前記往来方向に連通する開口と、前記開口を開放可能に閉止する閉止部材と、を有し、
前記天井部の最下面より上に配置されており、
前記天井部は、前記最下面と繋がって、前記通路状空間の床面からの高さが前記最下面より高い高天井面を有しており、
前記ダクトは、前記高天井面に垂設されていることを特徴とする通路状空間の排煙設備。
【請求項２】
請求項１に記載の通路状空間の排煙設備であって、
前記通路状空間には、当該通路状空間における前記煙の存在を知らせる信号を発生する信号発生器が設けられており、
前記閉止部材は、前記信号発生器の信号に基づいて開放されることを特徴とする通路状空間の排煙設備。
【請求項３】
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
当該ダクトの内外を前記往来方向に連通する開口と、前記開口を開放可能に閉止する閉止部材と、を有し、
前記天井部の最下面より上に配置されており、
前記通路状空間には、当該通路状空間における前記煙の存在を知らせる信号を発生する信号発生器が設けられており、
前記閉止部材は、前記信号発生器の信号に基づいて開放され、
前記開口と前記閉止部材とは、前記通路状空間の前記往来方向における前記ダクトの両側の領域に臨む両面にそれぞれ設けられており、
前記信号発生器は、前記通路状空間の前記往来方向における前記ダクトの両側の領域にそれぞれ設けられており、
前記信号が発せられたときに、当該信号を発した前記信号発生器が設けられている側の前記領域に臨む面に設けられた前記閉止部材のみが開放されることを特徴とする通路状空間の排煙設備。
【請求項４】
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
当該ダクトの内外を前記往来方向に連通する開口と、前記開口を開放可能に閉止する閉止部材と、を有し、
前記天井部の最下面より上に配置されており、
前記天井部は、前記最下面を形成する天井板より上に、当該天井板にて区画された天井裏空間を有し、
前記ダクトは、前記天井裏空間に設けられており、
前記天井部は、前記往来方向における前記ダクトの近傍にて、前記天井裏空間側に移動して、前記天井板より下の天井下空間と前記天井裏空間とを連通する連通窓を形成可能な蓋部材を有しており、
前記通路状空間には、当該通路状空間における前記煙の存在を知らせる信号を発生する信号発生器が設けられており、
前記閉止部材および前記蓋部材は、前記信号発生器の信号に基づいて開放され、
前記開口と前記閉止部材とは、前記通路状空間の前記往来方向における前記ダクトの両側の領域に臨む両面にそれぞれ設けられており、
前記信号発生器と前記蓋部材とは、前記通路状空間の前記往来方向における前記ダクトの両側の領域にそれぞれ設けられており、
前記信号が発せられたときに、当該信号を発した前記信号発生器が設けられている側の前記領域に臨む面に設けられた前記閉止部材及び前記蓋部材のみが開放されることを特徴とする通路状空間の排煙設備。
【請求項５】
請求項２乃至請求項４のいずれかに記載の通路状空間の排煙設備であって、
前記信号発生器は、前記煙を検知して前記信号を発生するセンサーであることを特徴とする通路状空間の排煙設備。
【請求項６】
請求項２乃至請求項５のいずれかに記載の通路状空間の排煙設備であって、
前記信号発生器は、人の操作により前記信号を発生するスイッチであることを特徴とする通路状空間の排煙設備。
【請求項７】
請求項１乃至請求項６のいずれかに記載の通路状空間の排煙設備であって、
前記開口は、前記通路状空間の幅方向において当該通路状空間を形成する一方の側壁側から他方の側壁側に繋がって設けられていることを特徴とする通路状空間の排煙設備。
【請求項８】
請求項１乃至請求項６のいずれかに記載の通路状空間の排煙設備であって、
前記開口は、前記通路状空間の幅方向において複数設けられていることを特徴とする通路状空間の排煙設備。
【発明の詳細な説明】
【技術分野】
【０００１】
本発明は、通路状をなす通路状空間の煙を排出する通路状空間の排煙設備に関する。
【背景技術】
【０００２】
通路状空間などの屋内空間の排煙設備としては、たとえば、天井に設けられた排煙ダクトの下向き開口に蓋部材を回動自在に保持する保持具を備え、火災時には保持具を解除することにより、蓋部材が下方に回動して垂壁をなす垂壁付き排煙口装置が知られている（例えば、特許文献１参照）。
【先行技術文献】
【特許文献】
【０００３】
【特許文献１】特開平６―７０９９２号公報
【発明の概要】
【発明が解決しようとする課題】
【０００４】
上記のような垂壁付き排煙口装置は、煙を排出する排煙ダクトの開口が下を向いているので、煙を効率良く排煙するためには垂壁が必要である。一方、火災時に通路の天井より下方に垂壁が垂れ下がると、避難者にとって避難時の見通しが悪くなるばかりでなく、背の高い避難者にとっては、垂壁が避難の障害となる虞がある。
【０００５】
本発明は、かかる課題に鑑みてなされたものであり、その目的とするところは、避難時の見通し及び安全性を確保しつつ、煙を効率良く排出することが可能な通路状空間の排煙設備を提供することにある。
【課題を解決するための手段】
【０００６】
かかる目的を達成するために本発明の通路状空間の排煙設備は、  通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
当該ダクトの内外を前記往来方向に連通する開口と、前記開口を開放可能に閉止する閉止部材と、を有し、
前記天井部の最下面より上に配置されており、
前記天井部は、前記最下面と繋がって、前記通路状空間の床面からの高さが前記最下面より高い高天井面を有しており、
前記ダクトは、前記高天井面に垂設されていることを特徴とする通路状空間の排煙設備である。
このような通路状空間の排煙設備によれば、ダクトは天井部の最下面より上に設けられているので、通路状空間に発生した煙は最下面より高い位置に設けられたダクト側に流れ、通路状空間の往来方向と交差する方向に設けられたダクトにより堰き止められる。そして、堰き止められた煙は、ダクトの内外を、通路状空間の往来方向に連通する開口から排出される。このため、通路状空間の煙を、煙と正対する開口から効率良く排出することが可能である。また、ダクトは天井部の最下面より上に設けられているので、天井部の最下面より下には突出しない。このため、避難時の見通し及び安全性を確保しつつ、煙を効率良く排出することが可能な通路状空間の排煙設備を提供することが可能である。
【０００７】
また、ダクトが設けられている高天井面と最下面とは繋がっているので、上昇して天井部の最下面の下を漂う煙が天井面に沿って高天井面側に流れダクトに導かれる。このため、煙の乱れが生じ難いので、より効率良く排煙することが可能である。
【００１３】
かかる通路状空間の排煙設備であって、前記通路状空間には、当該通路状空間における煙の存在を知らせる信号を発生する信号発生器が設けられており、前記閉止部材は、前記信号発生器の信号に基づいて開放されることが望ましい。  
このような通路状空間の排煙設備によれば、通路状空間に煙が存在する場合には、信号発生器から信号が発せられるので、信号発生器の信号により閉止部材を作動させて、より早く排煙することが可能である。
【００１４】
また、
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
当該ダクトの内外を前記往来方向に連通する開口と、前記開口を開放可能に閉止する閉止部材と、を有し、
前記天井部の最下面より上に配置されており、
前記通路状空間には、当該通路状空間における前記煙の存在を知らせる信号を発生する信号発生器が設けられており、
前記閉止部材は、前記信号発生器の信号に基づいて開放され、
前記開口と前記閉止部材とは、前記通路状空間の前記往来方向における前記ダクトの両側の領域に臨む両面にそれぞれ設けられており、
前記信号発生器は、前記通路状空間の前記往来方向における前記ダクトの両側の領域にそれぞれ設けられており、
前記信号が発せられたときに、当該信号を発した前記信号発生器が設けられている側の前記領域に臨む面に設けられた前記閉止部材のみが開放されることを特徴とする通路状空間の排煙設備であってもよい。
【００１５】
また、
通路状をなす通路状空間の天井部にて煙を排出するダクトを有する通路状空間の排煙設備であって、
前記ダクトは、
前記煙を堰き止めるように前記通路状空間の往来方向と交差する方向に設けられており、
当該ダクトの内外を前記往来方向に連通する開口と、前記開口を開放可能に閉止する閉止部材と、を有し、
前記天井部の最下面より上に配置されており、
前記天井部は、前記最下面を形成する天井板より上に、当該天井板にて区画された天井裏空間を有し、
前記ダクトは、前記天井裏空間に設けられており、
前記天井部は、前記往来方向における前記ダクトの近傍にて、前記天井裏空間側に移動して、前記天井板より下の天井下空間と前記天井裏空間とを連通する連通窓を形成可能な蓋部材を有しており、
前記通路状空間には、当該通路状空間における前記煙の存在を知らせる信号を発生する信号発生器が設けられており、
前記閉止部材および前記蓋部材は、前記信号発生器の信号に基づいて開放され、
前記開口と前記閉止部材とは、前記通路状空間の前記往来方向における前記ダクトの両側の領域に臨む両面にそれぞれ設けられており、
前記信号発生器と前記蓋部材とは、前記通路状空間の前記往来方向における前記ダクトの両側の領域にそれぞれ設けられており、
前記信号が発せられたときに、当該信号を発した前記信号発生器が設けられている側の前記領域に臨む面に設けられた前記閉止部材及び前記蓋部材のみが開放されることを特徴とする通路状空間の排煙設備であってもよい。
【００１７】
かかる通路状空間の排煙設備であって、前記信号発生器は、前記煙を検知して前記信号を発生するセンサーであることが望ましい。  
このような通路状空間の排煙設備によれば、通路状空間にて発煙した際には、センサーにて検知されるので、人が気付かない状態であっても、センサーの信号により閉止部材及び蓋部材を作動させて、より早く排煙することが可能である。
【００１８】
かかる通路状空間の排煙設備であって、前記信号発生器は、人の操作により前記信号を発生するスイッチであることが望ましい。  
このような通路状空間の排煙設備によれば、人がスイッチを操作することにより閉止部材及び蓋部材が開放されるので、例えば煙がセンサーに達する前に人が気付いて操作した場合には、スイッチの信号により閉止部材及び蓋部材を作動させて、より早く排煙することが可能である。
【００１９】
かかる通路状空間の排煙設備であって、前記開口は、前記通路状空間の幅方向において当該通路状空間を形成する一方の側壁側から他方の側壁側に繋がって設けられていることが望ましい。  
このような通路状空間の排煙設備によれば、ダクトの内外を連通する開口が、通路状空間の幅方向において通路状空間を形成する一方の側壁側から他方の側壁側に繋がって設けられているので、ダクトにより堰き止められた煙を、より整然とダクトに流入させて効率良く排煙することが可能である。
【００２０】
かかる通路状空間の排煙設備であって、前記開口は、前記通路状空間の幅方向において複数設けられていてもよい。  
このような通路状空間の排煙設備によれば、ダクトの内外を連通する開口が、通路状空間の幅方向において複数設けられているので、ダクトにより堰き止められた煙を、複数の開口からダクトに流入させて効率良く排煙することが可能である。
【発明の効果】
【００２１】
本発明によれば、避難時の見通し及び安全性を確保しつつ、煙を効率良く排出することが可能な通路状空間の排煙設備を提供することが可能である。
【図面の簡単な説明】
【００２２】
【図１】本発明にかかる通路状空間の排煙設備の第１実施形態の概略を示す側面図である。
【図２】本発明にかかる通路状空間の排煙設備の第１実施形態の概略を示す平面図である。
【図３】本発明にかかる通路状空間の排煙設備の第２実施形態の概略を示す側面図である。
【図４】本発明にかかる通路状空間の排煙設備の第３実施形態の概略を示す側面図である。
【図５】本発明にかかる通路状空間の排煙設備の第４実施形態の概略を示す側面図である。
【図６】本発明にかかる通路状空間の排煙設備の第５実施形態の概略を示す側面図である。
【図７】本発明にかかる通路状空間の排煙設備の第５実施形態の概略を示す平面図である。
【図８】本発明にかかる通路状空間の排煙設備の第６実施形態の概略を示す側面図である。
【発明を実施するための形態】
【００２３】
以下、本発明の実施形態について図面を用いて詳細に説明する。  
本発明に係る通路状空間の排煙設備は、例えば、建物に設けられている共用通路のような、空間の幅に対して幅方向と交差する長手方向の長さが長い通路状空間に設けられ、火災発生時などに、この通路状空間に沿って流れた煙が建物全体に充満すること防止するために煙を建物外に排出する排煙設備である。このため、通路状空間は、必ずしも通路に限るものではなく、幅方向に対して長手方向に十分長い空間を対象としている。以下の説明では、通路状空間を、所定方向に延びる通路とした場合を例に挙げて説明する。
【００２４】
図１は、本発明にかかる通路状空間の排煙設備の第１実施形態の概略を示す側面図である。図２は、本発明にかかる通路状空間の排煙設備の第１実施形態の概略を示す平面図である。
【００２５】
第１実施形態の通路状空間の排煙設備が設けられる通路は、図１に示すように、当該通路１の上階の床をなす床スラブ３の下に、上階の床スラブ３と間隔を隔てて板材でなる天井板２ａが張られて天井２が設けられている。すなわち、通路１は天井板２ａにより、天井２より下の天井下空間１ａと天井裏空間１ｂとに区画されている。ここで、天井板２ａが張られて設けられた天井２及び天井裏空間１ｂが天井部の一例である。
【００２６】
天井板２ａの下面となる天井面２ｂは、通路１の長手方向、すなわち通路１の往来方向において、所定の箇所における床２ｃからの高さが、他の箇所より高い高天井面２ｄをなす凹部２ｅが設けられている。すなわち通路１の天井面２ｂは、全体的にはほぼ平坦な面（以下、低天井面という）２ｆをなしているが、往来方向における一部において、幅方向における全域が低天井面２ｆより高い高天井面２ｄが設けられている。そして、高天井面２ｄと低天井面２ｆとは、湾曲した天井板２ｇにて繋げられている。本天井２においては、低天井面２ｆが最下面をなしている。
【００２７】
天井２の高天井面２ｄをなす位置には、図２に示すように、通路１の往来方向と直交する幅方向に、通路１を形成する一方の側壁４から突出して他方の側壁５にわたるように排煙ダクト１０が、排煙ダクト１０の下端が低天井面２ｆより上側に位置するように設けられている。
【００２８】
排煙ダクト１０は、両側壁４、５及び高天井面２ｄとの間に空隙が生じないように設けられている。また、排煙ダクト１０は、開口としての排煙口１１を介して通路１と建物外とを連通するように設けられており、排煙ダクト１０内には後述する制御部(不図示)により駆動されて通路１内及び排煙ダクト１０内の空気を建物外に排出する排煙ファン（不図示）が設けられている。
【００２９】
通路１は、排煙ダクト１０により、往来方向において排煙ダクト１０の一方側から排煙ダクト１０に近づく煙Ｓを堰き止める領域と、他方側から排煙ダクト１０に近づく煙Ｓを堰き止める領域とに分けられる。すなわち、往来方向における排煙ダクト１０の両側には、２つの領域が存在する。
【００３０】
排煙ダクト１０は、往来方向に沿った縦断面が矩形状をなし、上面部１０ａ及び下面部１０ｂと、往来方向において排煙ダクト１０の両側の領域に臨む２つの側面部１０ｃ、１０ｄとを有している。また、排煙ダクト１０が有する２つの側面部１０ｃ、１０ｄのうちの一方の側面部１０ｃには、通路１の幅方向において一方の側壁４側から他方の側壁５側に繋がって設けられた排煙口１１と、この排煙口１１を開放可能に閉塞する板状の閉止部材１２と、が設けられている。
【００３１】
この閉止部材１２は、例えば、排煙口１１の上下方向における中央にて幅方向に沿う回動軸Ｃを中心に回動自在に支持されており、通常は排煙口１１を閉塞した状態に保たれている。そして、外部から入力される信号に基づいて制御部に制御される駆動部、例えばモーター１３にて回動されて、排煙口１１を開放するように構成されている。例えば、排煙口１１を閉塞していた閉止部材１２が、モーター１３により回転されて、排煙口１１が設けられている側面部１０ｃにほぼ直交するように水平な状態となることにより排煙口１１が開放される。
【００３２】
また、通路１の往来方向において、排煙ダクト１０に設けられた排煙口１１が臨む領域の低天井面２ｆには、煙Ｓを検知可能なセンサーとしての煙感知器１５が設けられ、また、側壁４、５には通路１を使用する人が操作可能な位置に、閉止部材１２を回動するためのスイッチとして操作スイッチ１６が設けられている。ここで、煙感知器１５のようなセンサーや操作スイッチ１６が信号発生器の一例に相当する。
【００３３】
そして、通路１に発生し上昇した煙Ｓは、天井下空間１ａの最も高い位置、すなわち高天井面２ｄに向かって流れる際に、低天井面２ｆに設けられた煙感知器１５を覆うように流れると、煙感知器１５が煙Ｓを検知して、制御部に信号を発信する。信号を受信した制御部は、モーター１３を駆動して閉止部材１２を回転させて排煙口１１を開放するとともに、排煙ダクト１０内に設けられた排煙ファンを駆動する。一方、煙Ｓは、低天井面２ｆから最も高い高天井面２ｄの下に向かって流れ、排煙口１１が開放されるまでは排煙ダクト１０によって堰き止められ、閉止部材１２が開放されると、堰き止められている煙Ｓと正対する排煙口１１から排煙ダクト１０内に吸引されて建物外に排出される。すなわち、本発明の排煙ダクト１０は、防煙垂壁としても機能している。また、煙感知器１５より先に、例えば通路１を利用している人が煙Ｓに気付いて操作した場合には、煙Ｓに気付いた人が操作スイッチ１６を操作することにより排煙口１１を開放することも可能である。
【００３４】
上記実施形態においては、閉止部材１２を開放するための専用の操作スイッチ１６を備えた例について説明したが、専用の操作スイッチ１６を設けず、建物に設けられている非常ボタンなどと連動して閉止部材１２が開放される形態であっても構わない。
【００３５】
第１実施形態の通路状空間の排煙設備によれば、排煙ダクト１０は天井２の低天井面２ｆより上に設けられているので、煙Ｓは低天井面２ｆより高い位置に設けられた排煙ダクト１０側に流れ、通路１の往来方向と交差する方向に設けられた排煙ダクト１０により堰き止められる。そして、堰き止められた煙Ｓは、排煙ダクト１０の、通路１の往来方向に向く側面部１０ｃに設けられた排煙口１１から排煙ダクト１０内に吸引されて建物外に排出される。このため、通路１の煙Ｓを、煙Ｓと正対する排煙口１１から効率良く排出することが可能である。また、排煙ダクト１０は天井２の低天井面２ｆより上に設けられているので、天井２の低天井面２ｆより下には突出しない。このため、避難時の見通し及び安全性を確保しつつ、煙Ｓを効率良く排出することが可能である。
【００３６】
また、排煙ダクト１０が設けられている高天井面２ｄと、低天井面２ｆとは天井板２ａにて形成された天井２として繋がっているので、上昇して天井２下に漂う煙Ｓが天井面２ｂに沿って高天井面２ｄ側に流れ排煙ダクト１０に導かれる。このため、煙Ｓの乱れが生じ難いので、より効率良く排煙することが可能である。
【００３７】
また、排煙ダクト１０の内外を連通する排煙口１１が、通路１の幅方向において一方の側壁４側から他方の側壁５側に繋がって設けられているので、排煙ダクト１０により堰き止められた煙Ｓを、より整然と排煙ダクト１０に流入させて効率良く排煙することが可能である。ここで、排煙ダクト１０に設けられる排煙口１１は、必ずしも一方の側壁４側から他方の側壁５側に繋がって設けられていなくともよい。たとえば、排煙口１１が通路１の幅方向において複数設けられていてもよい。この場合であっても、排煙ダクト１０により堰き止められた煙を、複数の排煙口１１から排煙ダクト１０内に流入させて排煙することが可能である。
【００３８】
また、閉止部材１２は、通路１の天井２に設けられて煙Ｓを検知する煙感知器１５の信号に基づいて開放されるので、人が気付かない状態であっても、煙感知器１５の信号により閉止部材１２を作動させて、より早く排煙することが可能である。
【００３９】
また、閉止部材１２は、通路１に設けられて、人の操作により信号を発生する操作スイッチ１６の信号に基づいても開放されるので、煙Ｓが煙感知器１５に達する前に、人が気付いて操作した場合には、操作スイッチ１６の信号により閉止部材１２を作動させて、より早く排煙することが可能である。このように、煙感知器１５と操作スイッチ１６とをいずれも設けておくことにより、より早く、かつ、より確実に排煙することが可能である。
【００４０】
第１実施形態では、通路１の往来方向において排煙ダクト１０の一方の側面部１０ｃのみに排煙口１１と閉止部材１２とを設けた例について説明したが、図３に示すように、排煙ダクト１０の両側面部１０ｃ、１０ｄに排煙口１１と閉止部材１２とを設けると、排煙ダクト１０に対して、いずれの側にて発生した煙Ｓであっても効率良く排煙することが可能である。以下の説明においては、第１実施形態と同一構成については図中で同符号を付して示し、その説明については省略する。
【００４１】
第２実施形態の排煙設備は、第１実施形態にて説明した排煙口１１と閉止部材１２とが排煙ダクト１０の両側面部１０ｃ、１０ｄにそれぞれ設けられている。
【００４２】
具体的には、図３に示すように、天井２の高天井面２ｄをなす位置に一方の側壁４から突出して他方の側壁５にわたるように設けられた排煙ダクト１０の両側面部１０ｃ、１０ｄに排煙口１１と閉止部材１２とが設けられている。また、通路１の往来方向において、排煙ダクト１０の両側の領域、すなわち、排煙ダクト１０に設けられた排煙口１１が臨む領域側の低天井面２ｆに煙感知器１５が設けられ、また、側壁４、５には操作スイッチ１６がそれぞれ設けられている。このとき、排煙ダクト１０の一方側の側面部１０ｃに設けられた排煙口１１ａが臨む一方側の領域に設けられた煙感知器１５ａと操作スイッチ１６ａから発信された信号により、排煙ダクト１０の一方側の側面部１０ｃに設けられた閉止部材１２ａのみが開放され、排煙ダクト１０の他方側の側面部１０ｄに設けられた排煙口１１ｂが臨む他方側の領域に設けられた煙感知器１５ｂと操作スイッチ１６ｂから発信された信号により、排煙ダクト１０の他方側の側面部１０ｄに設けられた閉止部材１２ｂのみが開放されるように構成されている。
【００４３】
第２実施形態の排煙設備によれば、排煙ダクト１０の、往来方向に向く両側面部１０ｃ、１０ｄにそれぞれ設けられた閉止部材１２ａ、１２ｂは、往来方向において排煙ダクト１０の両側の領域にそれぞれ設けられた煙感知器１５ａ、１５ｂ及び操作スイッチ１６ａ、１６ｂうちの、信号が発せられた煙感知器１５ａ、１５ｂ及び操作スイッチ１６ａ、１６ｂが設けられている領域に臨む閉止部材１２ａ、１２ｂのみが開放されるので、排煙ダクト１０により堰き止められた煙Ｓを、煙Ｓと正対する排煙口１１から確実に排煙ダクト１０内に流入させることができるとともに、煙Ｓが堰き止められていない側の排煙口１１ａ、１１ｂからは空気が排煙ダクト１０内に流入されない。このため、煙Ｓ以外の空気により排煙ダクト１０内への煙Ｓの流入が妨げられないので効率良く排煙することが可能である。また、排煙口１１ａ、１１ｂは、排煙ダクト１０の、往来方向における両側面部１０ｃ、１０ｄに設けられているので、通路１において排煙ダクト１０に対し、往来方向のいずれの側からも効率良く排煙することが可能である。
【００４４】
図４は、本発明にかかる通路状空間の排煙設備の第３実施形態の概略を示す側面図である。
【００４５】
第３実施形態の排煙設備は、天井板２ａにて形成される天井面２ｂは平坦であり、排煙ダクト１０は天井板２ａにて区画された天井裏空間１ｂに配置されており、排煙ダクト１０近傍の天井面２ｂには、天井板２ａの上下に位置する天井下空間１ａと天井裏空間１ｂを連通する複数の連通孔２ｈが形成されている。ここで、連通孔２ｈが設けられている天井板２ａは、例えば、パンチングメタルであり、上昇した煙Ｓが排煙ダクト１０の手前にて速やかに天井裏空間１ｂに流入可能な量の連通孔２ｈが設けられている。
【００４６】
第３実施形態の場合には、天井面２ｂが平坦なので、天井面２ｂの、床２ｃからの高さはいずれの場所であっても同様である。このため、天井面２ｂが天井２の最下面となり、排煙ダクト１０は天井面２ｂより上側の天井裏空間１ｂに配置されている。
【００４７】
第３実施形態の排煙設備によれば、天井板２ａより下の天井下空間１ａと天井裏空間１ｂとを区画する天井板２ａに、天井下空間１ａと天井裏空間１ｂとを連通する連通孔２ｈが備えられているので、通路１にて上昇する煙Ｓを、連通孔２ｈを通して天井裏空間１ｂに流入させることが可能である。特に、連通孔２ｈは排煙ダクト１０の近傍に設けられているので、天井下空間１ａにて上昇する煙Ｓを排煙ダクト１０の近傍にて天井裏空間１ｂに流入させることが可能である。このため、煙Ｓを確実に排煙ダクト１０に流入させることが可能である。そして、天井裏空間１ｂには、排煙ダクト１０が一方の側壁４から突出して他方の側壁５にわたるように設けられているので、天井裏空間１ｂにて、排煙ダクト１０により堰き止めた煙Ｓを、煙Ｓと正対する排煙口１１から効率良く排出することが可能である。
【００４８】
また、排煙ダクト１０は天井裏空間１ｂに設けられているので、天井板２ａより下には突出しない。このため、避難時の見通し及び安全性を確保しつつ、煙Ｓを効率良く排出することが可能である。また、連通孔２ｈは天井面２ｂの全域には設けられていないので、天井面２ｂの排煙ダクト１０から離れた位置はすっきりとした天井面２ｂとすることが可能である。また、天井裏空間１ｂに排煙ダクト１０を備え、天井面２ｂに連通孔２ｈを設けるだけで、容易に煙Ｓを効率良く排出することが可能な排煙設備を備えることが可能である。
【００４９】
図５は、本発明にかかる通路状空間の排煙設備の第４実施形態の概略を示す側面図である。
【００５０】
第４実施形態の排煙設備は、第１実施形態に対する第２実施形態と同様であって、図５に示すように、第３実施形態のように天井裏空間１ｂに配置した排煙ダクト１０の両側面部１０ｃ、１０ｄに排煙口１１と閉止部材１２とが設けられている。
【００５１】
第４実施形態の排煙設備の場合には、天井裏空間１ｂにて排煙ダクト１０の、往来方向に向く両側面部１０ｃ、１０ｄにそれぞれ設けられた閉止部材１２は、往来方向において排煙ダクト１０の両側の領域にそれぞれ設けられた煙感知器１５ａ、１５ｂ及び操作スイッチ１６ａ、１６ｂうちの、信号が発せられた煙感知器１５ａ、１５ｂ及び操作スイッチ１６ａ、１６ｂが設けられている側の閉止部材１２のみが開放されるので、天井裏空間１ｂにて排煙ダクト１０により堰き止められた煙Ｓを、煙Ｓと正対する排煙口１１から確実に排煙ダクト１０内に流入させることができるとともに、煙Ｓが堰き止められていない側の排煙口１１からは空気が排煙ダクト１０内に流入されることを防止することが可能である。このため、煙Ｓ以外の空気により排煙ダクト１０内への煙Ｓの流入が妨げられないので効率良く排煙することが可能である。また、排煙口１１は、排煙ダクト１０の、往来方向における両側面部１０ｃ、１０ｄに設けられているので、通路１において排煙ダクト１０に対し、往来方向のいずれの側からも効率良く排煙することができるばかりでなく、煙Ｓを天井裏空間１ｂに移動させて天井下空間１ａに残存する煙Ｓの量を少なくすることが可能である。
【００５２】
図６は、本発明にかかる通路状空間の排煙設備の第５実施形態の概略を示す側面図である。図７は、本発明にかかる通路状空間の排煙設備の第５実施形態の概略を示す平面図である。
【００５３】
第５実施形態の排煙設備は、第３実施形態と同様に、図６に示すように、天井板２ａにて形成される天井面２ｂは平坦であり、排煙ダクト１０は天井板２ａにて区画された天井裏空間１ｂに配置されている。そして、第５実施形態の排煙設備は、煙感知器１５や操作スイッチ１６の信号により、排煙ダクト１０近傍の天井２をなす部位が、天井裏空間１ｂ側、すなわち上階の床スラブ３側に移動することにより、排煙ダクト１０の近傍にて天井下空間１ａと天井裏空間１ｂとを連通する連通窓１７を形成可能な蓋部材としての可動天井パネル１８を有している。
【００５４】
より具体的には、通路１の上部にて天井下空間１ａと天井裏空間１ｂとを区画する天井板２ａが、図７に示すように、排煙ダクト１０の手前にてその一部が切除されて天井下空間１ａと天井裏空間１ｂとを連通する連通窓１７を有しており、連通窓１７には、当該連通窓１７を閉止して天井板２ａとともに平坦な天井面２ｂを形成する可動天井パネル１８が設けられている。
【００５５】
可動天井パネル１８は、通路１の幅とほぼ同じ幅を有する矩形状をなしている。そして、可動天井パネル１８は、往来方向における排煙ダクト１０から遠い側の端部１８ａが、連通窓１７の縁をなす天井板２ａの端部２ｉにヒンジ１９を介して回動自在に取り付けられており、天井面２ｂとほぼ平坦をなす位置にて、図示しないストッパーにより下方への移動、すなわち回動が規制されている。
【００５６】
また、可動天井パネル１８は、天井裏空間１ｂにて、閉止部材１２を駆動するモーター１３に巻き取られるワイヤー１４が繋がれており、煙感知器１５や操作スイッチ１６の信号により閉止部材１２が回転させて排煙口１１が開放される際に、可動天井パネル１８が天井裏空間１ｂ側に移動されて連通窓１７が開放される。このとき、回動された可動天井パネル１８は、低天井面２ｆと上階の床スラブ３との間にて傾斜面を形成し、天井下空間１ａから排煙口１１を介して排煙ダクト１０内と繋がる空間を形成する。このため、可動天井パネル１８により連通窓１７が閉止された状態にて、天井下空間１ａに漂い始めた煙Ｓを煙感知器１５が検知したり、煙Ｓに気付いた人が操作スイッチ１６を操作すると、閉止部材１２が回転されて排煙口１１が開放されるとともに、可動天井パネル１８が回動されて連通窓１７が開放される。連通窓１７が開放されると天井下空間１ａに漂っていた煙Ｓは、傾斜している可動天井パネル１８に沿って排煙ダクト１０側に流れ、排煙口１１を通って排煙ダクト１０内に流入されて建物外に排出される。
【００５７】
第５実施形態の排煙設備によれば、排煙ダクト１０近傍にて天井板２ａをなす可動天井パネル１８は、固定されている天井板２ａの端部２ｉとヒンジ１９により接合されており、天井裏空間１ｂ側となる上階の床スラブ３側に移動して、天井板２ａより下の天井下空間１ａと天井裏空間１ｂとを連通する連通窓１７を形成するので、通路１にて上昇する煙Ｓを、連通窓１７をから天井裏空間１ｂに設けられている排煙ダクト１０内に、排煙口１１を通して流入させることが可能である。そして、煙Ｓを天井下空間１ａから天井裏空間１ｂに移動させて排煙ダクト１０により堰き止め、堰き止めた煙Ｓを、煙Ｓと正対する排煙口１１から効率良く排出することが可能である。このとき、回動して傾斜面をなすように配置される可動天井パネル１８が煙Ｓを排煙ダクト１０側に案内するように機能して煙Ｓの流れに乱れが生じ難いので、より効率良く煙Ｓを排出することが可能である。また、排煙ダクト１０は天井裏空間１ｂに設けられているので、天井板２ａより下には突出しない。このため、避難時の見通し及び安全性を確保しつつ、煙Ｓを効率良く排出することが可能である。また、通常は、連通窓１７を可動天井パネル１８が覆って平坦な天井面２ｂを形成しているので、美観にも優れた排煙設備を提供することが可能である。
【００５８】
図８は、本発明にかかる通路状空間の排煙設備の第６実施形態の概略を示す側面図である。
【００５９】
第６実施形態の排煙設備は、第２実施形態及び第４実施形態と同様に、図８に示すように、第５実施形態のように天井裏空間１ｂに配置した排煙ダクト１０の両側面部１０ｃ、１０ｄに排煙口１１と閉止部材１２とを設け、往来方向における排煙ダクト１０の両側の近傍に、天井下空間１ａと天井裏空間１ｂとを連通する連通窓１７を有し、連通窓１７にそれぞれ可動天井パネル１８が設けられている。
【００６０】
第６実施形態の排煙設備の場合には、天井裏空間１ｂにて排煙ダクト１０の、往来方向に向く両側面部１０ｃ、１０ｄにそれぞれ設けられた閉止部材１２、及び、排煙ダクト１０の近傍に設けられた連通窓１７を覆う可動天井パネル１８は、往来方向において排煙ダクト１０の両側の領域にそれぞれ設けられた煙感知器１５ａ、１５ｂ及び操作スイッチ１６ａ、１６ｂうちの、信号が発せられた煙感知器１５ａ、１５ｂ及び操作スイッチ１６ａ、１６ｂが設けられている領域側の閉止部材１２、及び、可動天井パネル１８のみが開放されるので、煙Ｓを天井裏空間１ｂに設けられた排煙ダクト１０側に案内し、排煙ダクト１０により堰き止められた煙Ｓを、煙Ｓと正対する排煙口１１から確実に排煙ダクト１０内に流入させることができるとともに、煙Ｓが存在しない領域の連通窓１７からは空気が天井裏空間１ｂ及び排煙ダクト１０内に流入されることを防止することが可能である。このため、煙Ｓ以外の空気により排煙ダクト１０内への煙Ｓの流入が妨げられないので効率良く排煙することが可能である。また、排煙口１１及び連通窓１７は、排煙ダクト１０の、往来方向における両側に設けられているので、通路１において排煙ダクト１０に対し、往来方向のいずれの側からも効率良く排煙することが可能である。
【００６１】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６２】
１  通路
１ａ  天井下空間
１ｂ  天井裏空間
２  天井
２ａ  天井板
２ｂ  天井面
２ｃ  床
２ｄ  高天井面
２ｅ  凹部
２ｆ  低天井面
２ｇ  天井板
２ｈ  連通孔
２ｉ  天井板の端部
３  床スラブ
４  側壁
５  側壁
１０  ダクト
１０ａ  上面部
１０ｂ  下面部
１０ｃ  側面部
１０ｄ  側面部
１１  排煙口
１１ａ  排煙口
１１ｂ  排煙口
１２  閉止部材
１２ａ  閉止部材
１２ｂ  閉止部材
１３  モーター
１４  ワイヤー
１５  煙感知器
１５ａ  煙感知器
１５ｂ  煙感知器
１６  操作スイッチ
１６ａ  操作スイッチ
１６ｂ  操作スイッチ
１７  連通窓
１８  可動天井パネル
１８ａ  可動天井パネルの端部
１９  ヒンジ
Ｃ  回動軸
Ｓ  煙
【図２】
0005891823.tif 000002
【図７】
0005891823.tif 000003
【図１】
0005891823.tif 000004
【図３】
0005891823.tif 000005
【図４】
0005891823.tif 000006
【図５】
0005891823.tif 000007
【図６】
0005891823.tif 000008
【図８】
0005891823.tif 000009